(57)【要約】【課題】ＧＸ５３型の口金を有する照明ユニットをランプソケットに装着する際に、照明ユニットの影になって電極ピンとランプソケットの給電孔が見えず、装着がやり難く、非常に手間が掛かった。【解決手段】照明ユニットの一対の電極ピンを、ソケット本体の給電孔に差し込んで、照明ユニットと外部電源とを電気的に接続するランプソケットにおいて、給電孔は、第１給電孔と第２給電孔を対として、ソケット本体中心に対して異なる位置に、同じ径で２対以上に配置され、各対の第１給電孔同士および第２給電孔同士が、それぞれソケット内部にて結線されていることを特徴とする。【選択図】図１
2012054178.tif 000002
【特許請求の範囲】
【請求項１】
照明ユニットの一対の電極ピンを、ソケット本体の給電孔に差し込んで、前記照明ユニットと外部電源とを電気的に接続するランプソケットにおいて、
前記給電孔は、第１給電孔と第２給電孔を対として、ソケット本体中心に対して異なる位置に、同じ径で２対以上に配置され、
各対の第１給電孔同士および第２給電孔同士が、それぞれソケット内部にて結線されている
ことを特徴とするランプソケット。
【請求項２】
前記ソケット本体は、ＧＸ５３型ソケットであり
当該ＧＸ５３型ソケットの、前記給電孔に対応する円環内壁面に設けられた突起部を、押圧により円環内壁面まで移動可能に構成した
ことを特徴とする請求項１に記載のランプソケット。
【発明の詳細な説明】
【技術分野】
【０００１】
本発明は、照明器具用のランプソケットに関し、特に、ＩＥＣ（国際電気標準会議）で規格化されたＧＸ５３型の口金を有する照明ユニットを装着するランプソケットに関する。
【背景技術】
【０００２】
近年、薄型の照明ユニットとして、高輝度で半永久的な寿命を有する微小チップであるＬＥＤ（Light emitting diode）が用いられるようになってきた。そして、外部電源から照明ユニットに電力を供給するランプソケットは、厚さの薄いＧＸ５３型の口金を有する照明ユニットと組み合わせることで、奥行きの無い狭い空間に設置可能となり、ＬＥＤを用いた薄型の照明ユニットに使用する口金形式として最適な形態となる。
【０００３】
特許文献１に、そのような照明ユニットとランプソケットが提案されている。
【０００４】
以下、この従来技術を、図５のランプソケットと照明ユニットの装着を説明するための斜視図に基づいて簡単に説明する。なお、図５は、特許文献１に描いてある図面であり、本願の理解をしやすくするために、発明の趣旨を逸脱しない範囲で修正してある。
【０００５】
図５に示すように、ダウンライト型の照明器具として流通している、ＧＸ５３型の口金を有する照明ユニット１００を、ランプソケット２００に装着するには、まず、照明ユニット１００の各電極ピン１０１の径大部１０２を、ソケット本体２０１の各給電孔２０２の拡径部２０３に挿入出来るように狙って、照明ユニット１００を近づけて、次に、照明ユニット１００の円柱状の突出部１０３をランプソケットの嵌合孔２０４に合わせる。
【０００６】
そして、各電極ピン１０１を拡径部２０３に挿入後、照明ユニット１００を装着方向に回動させて、各電極ピン１０１を各給電孔２０２に移動させることにより、各電極ピン１０１がランプソケット２００の電極プレート（図示せず）に電気的に接触し、各電極ピンの径大部１０２が給電孔２０２の縁部に引っ掛かる。この一連の作業により、照明ユニット１００をランプソケット２００に装着が可能となる。
【先行技術文献】
【特許文献】
【０００７】
【特許文献１】特開２０１０−１２９４８８号公報（第５頁、図２）
【発明の概要】
【発明が解決しようとする課題】
【０００８】
しかしながら、特許文献１に示した従来のやり方では、照明ユニット１００をランプソケット２００に装着しようとする時、照明ユニット１００の外形形状がランプソケット２００のそれより大きいから、照明ユニット１００の影になって電極ピン１０１とランプソケット２００の給電孔２０２の拡径部２０３の位置関係が、全く見えない。
【０００９】
そして、電極ピン１０１と拡径部２０３の位置関係が判らない状態で、照明ユニット１００の円柱状の突出部１０３をランプソケット２００の嵌合孔２０４に合わせた後、照明ユニット１００をゆっくり回しながら、電極ピン１０１で給電孔２０２の拡径部２０３を指の感覚頼りに探って挿入せねばならない。すなわち、照明ユニット１００を下から支えながら、最大で１８０°ほど指で回し、電極ピン１０１の径大部１０２を給電孔２０２の拡径部２０３に合わせねばならず、装着作業に非常に手間が掛かるものであった。特に、
天井埋め込みタイプであって、ダウンライトとしてこの照明ユニット１００をランプソケット２００に取り付ける際には、この問題は顕著となる。
【００１０】
本発明の目的は、ＧＸ５３型の口金を有する照明ユニットをランプソケットに装着する際に、装着作業に手間の掛からないランプソケットを提供することを目的とする。
【課題を解決するための手段】
【００１１】
本発明のランプソケットは、上記目的を達成するために、下記記載の構成を採用するものである。
【００１２】
本発明のランプソケットは、照明ユニットの一対の電極ピンを、ソケット本体の給電孔に差し込んで、照明ユニットと外部電源とを電気的に接続するランプソケットにおいて、給電孔を、第１給電孔と第２給電孔を対として、ソケット本体中心に対して異なる位置に、同じ径で２対以上に配置し、各対の第１給電孔同士および第２給電孔同士が、それぞれソケット内部にて結線されていることを特徴とする。
【発明の効果】
【００１３】
以上のように本発明のランプソケットは、ソケット本体に給電孔を２対以上配置しているので、照明ユニットを装着する際に、照明ユニットを最大で９０°回すだけで電極ピンと給電孔を容易に一致させることが可能となる。従って、照明ユニットの装着が非常に容易で装着作業に手間の掛からないランプソケットを提供することが可能となる。
【図面の簡単な説明】
【００１４】
【図１】本発明のランプソケットの一実施例の外観を示す斜視図である。
【図２】本発明のランプソケットの構成を示す平面図である。
【図３】本発明のランプソケットと照明ユニットの装着の仕方を説明するための斜視図である。
【図４】本発明のランプソケットと照明ユニットの装着の仕方を更に詳細に説明するためのランプソケット断面図である。
【図５】従来のランプソケットと照明ユニットの装着を説明するための斜視図である。
【発明を実施するための形態】
【００１５】
以下、本発明の実施例を図面に基づいて具体的に説明する。
【００１６】
なお、以下に説明する実施例において、照明ユニットの口金は、ＩＥＣ（国際電気標準会議）で規格化されたＧＸ５３型の口金で構成されている例で説明する。
［ランプソケットの全体構成：図１、図２］
まず、ランプソケットの具体的構成について説明する。図１と図２は、本実施例のランプソケットの全体構成を説明するための図面であり、図１は、このランプソケットの外観を示す斜視図であり、図２は、ランプソケットの平面図であり、内部の構成部品を隠線（点線）で示し、その構成部品を説明するための図である。なお、本図には図示していないが、下記に説明するランプソケットに組み合わせて使用する照明ユニットは、従来例で説明した照明ユニットの形態と同じものであることに留意されたい。
【００１７】
図１に示すように、ランプソケット１は、絶縁性を有する樹脂からなる円環状のソケット本体２を有し、中央には嵌合孔３が上下方向に貫通して形成されている。
【００１８】
このランプソケット１における、ソケット本体２の照明ユニット装着面２１には、本発明の特徴部分である第１給電孔５１と第２給電孔５２が対となって、ソケット本体２の中
心に対して互いに直交する位置関係で配置される。なお、この第１給電孔５１と第２給電孔５２は、ソケット本体２の中心を軸とする同一円周上に、同一形状で形成されている。その形状は、ソケット本体２の中心に対して回転対称に、円弧状の溝の接続部５３と、この接続部５３の一端に拡径部５４を有する、いわゆる達磨形状としている。
【００１９】
また、上述した嵌合孔３の円環内壁面３１には、照明ユニットをランプソケット１に位置決め固定するための突起部４が、ソケット本体２の中心に対して対称に設けられている。その突起部４の寸法形状と位置は、ＧＸ５３型の規格に基づき、給電孔５との位置関係に則って設定される。なお、本図においては、２対の給電孔５に対応して２対の突起部４（合計４個（図２参照））が、いわゆるカンティレバーの先端に突起を有する形態となっているので、バネ性を有し、押圧されると、その突起部４が円環内壁面３１まで移動する。
【００２０】
更に、ソケット本体２の照明ユニット装着面２１には、複数の取付孔２２が、給電孔５の配置と干渉しない位置に形成され、ランプソケットを天井、壁等、に取り付けるネジ止め用の孔として用いられる。
【００２１】
次に、ランプソケット１の内部構成について説明する。
【００２２】
図２に示すように、給電孔５を形成する第１給電孔５１と第２給電孔５２は、図１で説明したように、照明ユニット装着面２１に、ソケット本体２の中心に対して同一円周２４の線上に形成され、外観上は全く同一の達磨形状の孔が９０°の等間隔で形成されている。
【００２３】
また、ランプソケット１の内部には、隠線で表示する第１電極プレート６と第２電極プレート７が配置されている。第１電極プレート６と第２電極プレート７は、例えば、りん青銅のような良好なバネ性と導電性を有する薄板からなる。
【００２４】
この第１電極プレート６は、２つの第１給電孔５１の接続部５３それぞれの位置に、サイドコンタクト部６１を有して、一体の薄板で形成され、そして、複数の固定ダボ２３により位置決めして固定されている。同様に、第２電極プレート７も、２つの第２給電孔５２の接続部５３それぞれの位置に、サイドコンタクト部７１を有して、一体の薄板で形成され、複数の固定ダボ２３により位置決め固定されている。
【００２５】
そして、第１電極プレート６と第２電極プレート７が、ランプソケット１の図中の裏側のランプソケット固定面で露出し、外部電源と電気配線（図示せず）を介して電気的に接続される。この様にして、そのサイドコンタクト部６１、７１は、照明ユニットの電極ピンの径大部の円周部と接触して、ランプソケット１に装着される照明ユニットに、電力を供給する。
【００２６】
なお、照明ユニットの位置固定するために使用される、上述した４つの突起部４は、照明ユニットが装着される前は、嵌合孔３の円環内壁面３１から突出しているが、それぞれの給電孔５の接続部５３に対応して、ＧＸ５３型の照明ユニットが装填されたとき、二対のうちの一対を使用して、照明ユニットをランプソケット１に固定する。そのとき、他の対の給電孔は、円環内壁面まで引っ込んで使用されない。この照明ユニットとランプソケット１との装着形態については、後述する。
［ランプソケットの機能および作用：図３、図４］
次に、本実施例のランプソケットに照明ユニットを装着する形態から、ランプソケットの機能および作用を説明する。
【００２７】
図３は、ランプソケットに照明ユニットを装着する形態を説明するための外観の斜視図であり、図４は、ランプソケットの状態を詳細に説明するため、特に、ランプソケットを断面図で表した図であり、図４（ａ）から図４（ｃ）が、照明ユニット装着前のランプソケットの状態から、照明ユニット装着までの状態を説明するための図である。なお、各図において、同一の構成部材には同一の番号を付して、重複する説明は省略する。
【００２８】
図３に示すように、ランプソケット１がダウンライト用に天井（図示せず）に設置され、照明ユニット１０が装着される状態にあるとする。この照明ユニット１０の口金は、電極ピン１１と突出部１３とを有して構成される。そして、一対の電極ピン１１のそれぞれの先端には、拡径部５４のサイズに対応した径大部１２が形成される。また、突出部１３の側壁面には、一対のガイド溝１４がＧＸ５３型の規格に基づき形成されている。ガイド溝１４は、垂直ガイド溝１５と水平ガイド溝１６を有し、先に図２で示した、ランプソケット１の２対の突起部４のどちらか一対と係合して、照明ユニット１０のランプソケット１に位置決めされる構成となっている。
【００２９】
まず、図３、図４（ａ）に示すように、照明ユニット１０をランプソケット１に下から近づけてゆくと、照明ユニット１０の影になって、電極ピン１１とランプソケット１の給電孔５の拡径部５４が、全く見えない。その状態で、照明ユニット１０を下から支えながら、ランプソケット１に更に近づけると、照明ユニット１０の円柱状の突出部１３が、ランプソケットの嵌合孔３にはまり始め、同時に、電極ピン１１の径大部１２が、照明ユニット装着面２１の矢印Ａで示す位置に当接する。なお、本図においては、電極ピン１１の径大部１２が、矢印Ａで示す位置に当接する例にしたが、実際は、照明ユニット１０を装着する人は、電極ピン１１と給電孔との位置関係が把握できていないので、殆どの場合、給電孔の同一円周上の給電孔以外の位置で当接することとなる。
【００３０】
また、この状態においては、図４（ａ）に示すように、照明ユニット１０の突出部１３がランプソケット１の嵌合孔３に挿入されていないので、嵌合孔３の円環内壁面３１からは突起部４が突出した状態となっている。
【００３１】
次に、図３に示すように、電極ピン１１の径大部１２の頭がランプソケット１の照明ユニット装着面２１に当接したまま、照明ユニット１０を、矢印Ｂ方向（時計回り方向）に回す。そして、電極ピン１１の径大部１２と給電孔５の拡径部５４が一致した位置で、照明ユニット１０をランプソケット１に挿入し装着することとなる。
【００３２】
ここで、図４（ｂ）に示すように、ランプソケット１の嵌合孔３に照明ユニット１０の突出部１３が挿入されると、電極ピン１１の径大部１２の頭がランプソケット１の照明ユニット装着面２１に当接することとなる。このとき突起部４は、照明ユニット１０の突出部１３で押圧され、円環内壁面３１まで引っ込む状態で保持される。
【００３３】
次に、図３、図４（ｃ）に示すように、照明ユニット１０がランプソケット１の嵌合孔３の中央部を回転中心として、矢印Ｂ方向に回されると、照明ユニット１０の電極ピン１１の径大部１２が、ランプソケット１の給電孔５の拡径部５４と一致する位置で、一対のガイド溝１４の垂直ガイド溝１５とランプソケット１の一対の突起部４が係合する。
【００３４】
このとき、図４（ｃ）に示すように、一対の電極ピン１１の径大部１２は、ランプソケット１の接続部５３に係合して、その縁部に引っ掛かり、一方が第１電極プレート６のサイドコンタクト部６１と、他方が第２電極プレート７のサイドコンタクト部７１と接触して電気的に接続される。
【００３５】
またそれと同時に、一対の突起部４は、照明ユニット１の一対のガイド溝１４の水平ガ
イド溝１６と係合して、照明ユニット１０とランプソケット１の係合を、より確実に保持される。他方、もう一対の突起部４は、図４（ｂ）に示すような形態で、照明ユニット１０の突出部１３により押圧されて、円環内壁面３１まで引っ込む状態で保持される。
【００３６】
このように、ダウンライトの照明に照明ユニットを使用するにあたって、照明ユニット１０をランプソケット１に装着する際に、電極ピン１１と給電孔５の拡径部５４が全く見えない状態であっても、照明ユニット１０を９０°以内回転するだけで、ランプソケット１に確実に装着することが可能となる。これにより、装着作業に手間の掛からないランプソケットを提供することが可能となる。
【００３７】
なお、本発明においては、ランプソケット１に第１給電孔５１と第２給電孔５２を対とする給電孔５を２対形成して説明したが、３対の給電孔と３対の突起部を有する構成としても良い。その場合には、照明ユニット１０を、最大で６０°回すだけで、そのランプソケットに装着可能となり、更に作業に手間の掛からないランプソケットを提供することが可能となる。
【００３８】
また、本発明は、上述したランプソケット１の実施例に限定されることはなく、それらの全てを行う必要もなく、特許請求の範囲の各請求項に記載した内容の範囲で種々に変更や省略をすることが出来ることは言うまでもない。
【符号の説明】
【００３９】
１：ランプソケット
２：ソケット本体
３：嵌合孔
４：突起部
５：給電孔
６：第１電極プレート
７：第２電極プレート
１０：照明ユニット
１１：電極ピン
１２：径大部
１３：突出部
１４：ガイド溝
１５：垂直ガイド溝
１６：水平ガイド溝
２１：照明ユニット装着面
２２：取付孔
２３：固定ダボ
２４：同一円周線
３１：円環内壁面
５１：第１給電孔
５２：第２給電孔
５３：接続部
５４：拡径部
６１、７１：サイドコンタクト部
【図１】
2012054178.tif 000003
【図２】
2012054178.tif 000004
【図３】
2012054178.tif 000005
【図４】
2012054178.tif 000006
【図５】
2012054178.tif 000007